(57)【特許請求の範囲】
【請求項１】
モータと、
該モータを収容すると共に、該モータの回転軸の先端に設けられ、先端工具を着脱可能
に保持するチャックを有する筒状ハウジングと、
被削材上面を摺動し前記先端工具が下方に突出可能な定盤と、切欠部を有し断面がほぼＣ型形状をした筒状部とを有するベースと、
固定位置及び解除位置に回動可能で、カム面を有するレバーと、
を備え、前記レバーが前記固定位置にある際には前記切欠部の間隔を狭め前記筒状部内
での前記筒状ハウジングの移動を固定し、前記レバーが前記解除位置にある際には前記筒
状部内で前記筒状ハウジングを自重で移動可能とした携帯用電動工具であって、
前記固定位置と前記解除位置との間の回動位置で、前記レバーを係止可能にする係止手
段と、
前記筒状部に設けられ、前記切欠部を挟んで位置し、半径方向外側に突出した一対の突
出部と、
該突出部に設けられ前記切欠部を跨ぐように延びる軸部材と、
前記軸部材の一端側に螺合し、且つ一方の前記突出部の側面と当接する固定力調整ナッ
トとを設け、
前記レバーは凹部あるいは凸部を有すると共に、前記軸部材は凸部あるいは凹部を有し、
前記レバーを前記軸部材の他端側に回動可能に配置し、前記レバーが前記固定位置及び前記係止手段による係止位置にある際に、前記カム面が他方の前記突出部の側面と当接し、さらに前記係止手段は、前記レバー及び前記軸部材の凹部あるいは凸部が、前記固定位置と前記解除位置との間の回動位置となった際に、係合することで、前記レバーの回動を抑制することを特徴とする携帯用電動工具。
【発明の詳細な説明】
【技術分野】
【０００１】
本発明は、ベースに対してハウジングを固定するためのレバーを備えた携帯用ルータ、携帯用トリマ等の携帯用電動工具に関するものである。
【背景技術】
【０００２】
従来の携帯用ルータ、携帯用トリマ等の携帯用電動工具の一例は、モータと、モータを収容すると共に、モータの回転軸の先端に設けられ、先端工具を着脱可能に保持するチャックを有する筒状ハウジングと、被削材上面を摺動し前記先端工具が下方に突出可能な定盤、切欠部を有し断面がほぼＣ型形状をした筒状部とを有するベースを備えた構成をしている。（例えば、特許文献１参照）
このような構成をした携帯用電動工具は、筒状部に設けたボルトを回動操作することにより、Ｃ型形状をした筒状部を変形させ、筒状部内で筒状ハウジングを移動不能に固定する、あるいは移動可能とすることができるようにし、定盤からの先端工具の突出量、すなわち切込み深さを調整可能とした構成をしている。
【０００３】
【特許文献１】実開昭５９−１１８５０４号公報
【発明の開示】
【発明が解決しようとする課題】
【０００４】
上記した従来の携帯用電動工具は、筒状部内で筒状ハウジングが移動可能である状態から移動不能である状態にするには、筒状部を徐々に変形させるようにボルトを回動操作するものであるが、ボルトには筒状部が初期形状に復帰しようとする力が常に加わるため、多大な力でボルトを回動させる必要があり操作性が悪いものであった。
【０００５】
操作性の向上を図る目的から、カム面を有するレバーを設け、レバーが固定位置にある際には筒状部内で筒状ハウジングが移動不能に固定されるようにした構成の携帯用電動工具もあるが、レバーを固定位置から移動させると筒状部の復帰力によりレバーはすぐさま解除位置に移動し筒状ハウジングは自重により筒状部より抜け落ちるものであった。
【０００６】
先端工具の定盤からの突出量の位置調整は、レバーを解除した状態で行うものであるが、筒状ハウジングと筒状部との位置関係を保ちながらレバーを解除位置から固定位置に移動させることは困難であり、レバー操作時には調整した切込み深さが僅かにずれ易いものであった。
【０００７】
本発明の目的は、上記従来の欠点を解消し、切込み深さの調整が正確にかつ簡単にでき、操作性の良い携帯用電動工具を提供することである。
【課題を解決するための手段】
【０００８】
上記目的は、前記固定位置と前記解除位置との間の回動位置で、前記レバーを係止可能にする係止手段と、前記筒状部に設けられ、前記切欠部を挟んで位置し、半径方向外側に突出した一対の突出部と、該突出部に設けられ前記切欠部を跨ぐように延びる軸部材と、前記軸部材の一端側に螺合し、且つ一方の前記突出部の側面と当接する固定力調整ナットとを設け、前記レバーは凹部あるいは凸部を有すると共に、前記軸部材にも凸部あるいは凹部を有し、前記レバーを前記軸部材の他端側に回動可能に配置し、前記レバーが前記固定位置及び前記係止手段による係止位置にある際に、前記カム面が他方の前記突出部の側面と当接し、さらに前記係止手段は、前記レバー及び前記軸部材の凹部あるいは凸部が、前記固定位置と前記解除位置との間の回動位置となった際に、係合することで、前記レバーの回動を抑制することにより達成される。
【発明の効果】
【０００９】
本発明によれば、切込み深さの調整が正確にかつ簡単にでき、操作性の良い携帯用電動工具を提供することができるようになる。
【発明を実施するための最良の形態】
【００１０】
本発明携帯用電動工具の一実施形態を携帯用ルータを例に採り図１、図２を用いて以下説明する。なお、図１は本発明携帯用ルータの位置実施形を示す正面図、図２は図１のＡ−Ａ線断面図である。
【００１１】
図に示すように、携帯用ルータは筒状ハウジング１３と、ベース１とを有し、筒状ハウジング１３は図示しないモータを収容し、モータの回転軸の先端に先端工具１６を着脱可能に保持するチャック１７を有する構成をしている。ベース１は、被削材上面を摺動し先端工具１６が下方に突出可能な定盤１ａと、切欠部１ｃを有し図２に示すよう断面がほぼＣ型形状した筒状部１ｂとを有する構成をしている。
【００１２】
ベース１の筒状部１ｂは内径寸法ａが筒状ハウジング１３の外径寸法ｂよりも大きな寸法で形成されており、筒状ハウジング１３の外径部に設けられたネジ部１９と、ベース１内径部の螺線上に設けられた４ヶ所のピン２０が螺合し、筒状ハウジング１３を回すことにより筒状ハウジング１３がベース１に対し上下移動する構造となっている。
【００１３】
図１に示すように、ベース１の筒状部１ｂには、切欠部１ｃを挟んで位置する半径方向外側に突出した一対の突出部３ａ、３ｂが設けられ、突出部３ａ、３ｂに保持され切欠部１ｃを跨ぐように延びる軸部材４が設けられている。軸部材４の一端には突出部３ａの側面と当接し、工具なしで回転可能な形状で形成された固定力調整ナット５が螺合され、他端側には軸部材４に直交する方向に延びた回動支点Ｏ１を有し、その回りの一部は回動支点Ｏ１を中心とした円弧形状で形成される円弧部６を設けており、円弧部６上には、球状の凹部７を設けている。
【００１４】
回動支点Ｏ１には、回動可能に取付けられ、回動支点Ｏ１から偏芯した位置Ｏ２を中心とする円弧状のカム面８を有するレバー９が設けられている。
【００１５】
図１上方の２点鎖線で示す回動位置ではレバー９は解除位置にあり、筒状部１ｂ内で筒状ハウジング１３は自重で移動可能であり、図１下方の２点鎖線で示す回動位置ではレバー９は固定位置にあり、切欠部１ｃの間隔が狭まることによって筒状部１ｂ内で筒状ハウジング１３の移動は固定される。なお、図１の実線で示すレバー９の回動位置は仮固定位置にある。
【００１６】
レバー９が固定位置に回動されると、カム面８の回動支点Ｏ１からの距離が長い部分が突出部３ｂ側に回動し、ベース１の筒状部１ｂは切欠部１ｃ及び突出部３の間隔が狭くするよう変形し、カム面８が回動支点Ｏ１から最大距離を多少越えた位置でレバー９の取手部がベース１の突起部３等に突き当たり、レバー９の回動が停止し、筒状ハウジング１３を固定することがきる。
【００１７】
また、レバー９を解除位置に回動させると、カム面８の回動支点Ｏ１からの距離が短い部分が突出部３ｂ側に回動し、ベース１の筒状部１ｂが自身の復元力で切欠部１ｃ及び突出部３ａ、３ｂの間隔を広くするよう変形し、筒状ハウジング１３の固定を解除することができる。
【００１８】
レバー９の回動支点Ｏ１近傍には凹部７と係合可能な位置にかつ回転可能にボール１０を設け、さらにボール１０を付勢する付勢手段であるスプリング１１、ネジ１２が設けられており、凹部７とボール１０が係合することにより、レバー９の回動が係止できる構造としている。
【００１９】
凹部７の位置は、ハウジング１３が仮固定される位置、すなわちハウジング１３が自重で落ちてこない位置でボール１０が係合するよう設けている。
【００２０】
また、ハウジング１３の仮固定状態は筒状部１ｂの内径とハウジング１３の外径との隙間などの部品寸法のバラツキなどで製品により多少異なるが、固定力調整ナット５を回すことにより調整可能で、仮固定状態を容易に得ることができるようになっている。
【００２１】
なお、固定力調整ナット５の締付け調整により、ハウジング１３固定時に固定力が大きくなりすぎてしまうということが考えられるが、カム面８とベース１の突起部３ｂとの間に弾性部材であるゴム部材１４を設け、ゴム部材１４が変形することで適切な固定力を得ることができ、部品寸法のバラツキ範囲内での固定力がきつすぎてしまうという問題を防止できる。
【００２２】
上記した構成の携帯用電気ルータでは、ベース１の定盤１ａからの先端工具１６の突出量の調整、すなわち切込み深さの調整は以下の手順で行なわれる。
（１）図１に示すようにルータ本体を被削材等の平らな面に置く
（２）レバー９を解除位置に回動させ、筒状ハウジング１３の固定を解除する。
（３）先端工具１６が被削材に当たる位置まで筒状ハウジング１３を移動させる。（定盤１ａ底面と先端工具１６先端とが同一面になった状態）
（４）リング２４を回し、リング２４上に表示されている０と筒状ハウジング１３の目盛２５を合わせる
（５）ルータ本体を被削材上から移動させる。（先端工具１６が定盤１ｂ底面より突出できる状態にする）
（６）筒状ハウジング１３を回し、ハウジング１３の目盛２５とリング２４上に表示されている任意の切込み深さ目盛に合わせる。
（７）レバー９を固定位置に回動し、筒状ハウジング１３を固定する。
【００２３】
上記手順によって切込み深さの調整を行うことができるが、レバー９を解除位置にした状態からレバー９を固定位置に動かす過程でハウジング１３が僅かに回動してしまう恐れがある。しかし、本発明携帯用ルータでは、レバー９を解除位置から仮固定位置に移動させた状態で切込み深さの微調整を行なうことにより、正確な調整を行うことができるようになる。なお、仮固定位置にある際には、ハウジング１３が自重で回動してしまうことを意識しながらハウジング１３を把持する必要がないため、容易にかつ正確に切込み深さの調整を行うことができるものである。
【００２４】
なお、僅かな量のみ切込み深さの変更を行う際等には、レバー９を解除位置にせずとも固定位置から仮固定位置にレバー９を回動させ、切込み深さの調整を行なえば、ハウジング１３が自重によって回動し大幅に切込み深さが変化することなく、容易にかつ正確な吉込み深さ調整を行うことができる。
【００２５】
以上のような構成とすることにより、レバー９の回動を任意の位置で係止でき、ハウジング１３が仮固定される位置、すなわちハウジング１３が自重で落ちてこない位置を設定することができる。このため、切込み深さの調整が正確にかつ簡単にでき、操作性の良い携帯用電動工具を提供することができるようになる。
【００２６】
また、レバー９の係止手段として、スプリング１１で押圧されたボール１０と球状の凹部７が係合する構成としたため、レバー９をスムーズに仮固定位置から固定位置あるいは解除位置に回動させることができる。
【００２７】
また、凹部７をレバー９の回動支点を中心とした円弧上に設けているため、凹部７とボール１０が係合していない状態においてボール１０には常に一定の付勢力が与えられるものであり、レバー９の回動操作をスムーズに行うことができるようにしている。
【００２８】
なお、他の実施形態として、図３に示すように、レバー９のカム面８の一部に平面部１５を設け、平面部１５と弾性部材１４が同一面になった際にレバー９の回動が係止できる構造としても上記実施形態と同様の作用効果を奏し得ることができる。
【図面の簡単な説明】
【００２９】
【図１】本発明携帯用電動工具の一実施形態を示す正面図。
【図２】図１のＡ−Ａ線断面図。
【図３】本発明携帯用電動工具の他の実施形態を示す図１のＡ−Ａ線断面要部拡大図。
【符号の説明】
【００３０】
１はベース、１ａは定盤、１ｂは筒状部、１ｃは切欠部、３は突出部、４は軸部材、５は固定力調整ナット、６は軸部材の円弧部、７は凹部、８はカム面、９はレバー、１０はボール、１１はスプリング、１２はネジ、１３は筒状ハウジングである。
【図１】
0004734845.tif 000002
【図２】
0004734845.tif 000003
【図３】
0004734845.tif 000004